(57)【特許請求の範囲】
【請求項１】
プラスチックフイルムまたはシートを二枚重ね状態にし、親指を含め指の挿入部を並行状態に配置するようにして溶断し、指挿入部の間を拡げることができる余裕部を形成するよう指の付根部分から延びてその終端部が指の付根部分に達しない回曲状の溶切断線を形成した手袋。
【請求項２】
上記手袋はミット状に形成され、上記余裕部を形成する回曲状の溶切断線を親指挿入部と他の４本の指挿入部の間に形成している請求項１記載の手袋。
【請求項３】
上記手袋は並行状態の五本指状に形成され、上記余裕部を形成する回曲状の溶切断線を各指挿入部の間に形成している請求項１記載の手袋。
【請求項４】
上記並行状態に配置された指挿入部が互いに隣接している請求項２または３に記載の手袋。
【請求項５】
上記並行状態に配置された指挿入部が狭い間隔を存して配置された部分を有する請求項２または３記載の手袋。
【請求項６】
上記各指挿入部の間に形成した回曲状の溶切断線を、同じ方向または異なった方向に向いた回曲状に形成している請求項３〜５のいずれかに記載の手袋。
【請求項７】
上記回曲状の溶切断線の終端部には、この終端から裂けて行くことを防止するよう二枚重ね状態にしたプラスチックフイルムまたはシートを溶着してなる溶着部を形成した請求項１〜６のいずれかに記載の手袋。
【発明の詳細な説明】
【技術分野】
【０００１】
本発明は、手袋の改良に関するもので、特に使い捨て手袋と言われている手袋の改良に関する。
【背景技術】
【０００２】
食品の調理、弁当の盛付け、医療、介護、その他の衛生管理が必要な各種の分野において、使い捨て手袋が使用されている。こうした使い捨て手袋において多く用いられているのは、２枚のプラスチックフイルムを重ね合わせ、両プラスチックフイルムを手の形に溶着すると共に切断する溶断操作によって手袋を製造することである。
こうした使い捨て手袋は、使用時に手を握ったり、拡げたり、指でつまんだりすることができるように、指を拡げた状態の形状に溶断することによって手袋を成形している。
さらに、指の付根部分を絞るような各種の提案もなされている。（特許文献１）
【０００３】
このように、従来の手袋３０は２枚重ねのプラスチックフイルムに指を拡げた状態の手の形に溶断して成形しているので、製造に当ってはそれだけ広い面積のプラスチックフイルムを必要としている。（図１４）
そこで、出願人は、より狭い面積のプラスチックフイルムによって使い捨て手袋を製造することを企図して、図１６に示すように各指挿入部が隣接して並行する状態に溶断した手袋３１を作って使用したところ、手を握ったり、拡げたり、指でつまんだりするときに、指の付根部分に無理な力がかかって、この部分から破けてしまい、実用化できないことが判った。
【特許文献１】特開２００２−３１７３２０
【発明の開示】
【発明が解決しようとする課題】
【０００４】
本発明は、より狭い面積のプラスチックフイルムによって支障なく自由に手指を動かすことができる使い捨て手袋を簡易、経済的に得ようとするものである。
【課題を解決するための手段】
【０００５】
本発明者は、上記課題を解決するために紆余曲折、種々の研究と試作を重ねた結果、プ
ラスチックフイルムまたはシートを二枚重ねの状態にし、これに指の挿入部を並行状態に
配置するようにして溶断し、さらに指挿入部の付根部分から延びてその終端部が指の付根部分に達しない回曲状の溶切断線を形成して指と指の間を拡げることができる余裕部を形成することによって、初めて所望の手袋を得ることができ本発明の完成に至ったものである。
この手袋が五本指状に形成される場合には、上記余裕部を形成する回曲状の溶切断線を
各指挿入部の間に形成し、手袋がミット状に形成される場合には、親指挿入部と他の４本
の指挿入部の間に形成するようにする。
【発明の効果】
【０００６】
本発明によれば、各指挿入部が並行状態に並ぶようにした手袋であっても、指の付根部分から回曲状に長い距離になるように形成した溶切断線によって、指と指の間を充分に拡げることができる余裕部が形成され、使用時に手を握ったり、拡げたり、指でつまんだりすることが支障なくできる使い捨て手袋を得ることができ、しかも狭い面積のプラスチックフイルムやシートによって効率的、経済的に得ることができる。
【発明を実施するための最良の形態】
【０００７】
プラスチックフイルムまたはシート１を２枚重ねたり、半分に折ったり、チューブ状の
ものを平坦にしたりして二枚重ね状態にし、５本の指が入る指挿入部２を並行状態にして
隣合わせに形成するように、二枚重ねのフイルムまたはシート１を溶着すると共に、切り
離すことができるように溶断３している。
こうした各指挿入部の付根部分４から溶切断線５を形成しており、この溶切断線５はそ
の長さが長くなるように指挿入部の付根部分から延びてその終端部が指の付根部分に達しない適宜形状の回曲状に形成している。
こうした指挿入部２の下方には、手首くびれ部６を介して開口している手掌挿入部７を
設けている。（図１、図２）
【０００８】
この手袋１０に、上記手掌挿入部７から手を挿入して指挿入部２に指を差し入れれば、指を拡げるようにしたとき、指の付根部分４に設けた回曲状の溶切断線５が開いて余裕部８が形成され、この余裕部８によって、指挿入部の付根部分４を引裂いて破ることもなく自由に手を握ったり、拡げたり、指でつまんだりすることができるので、各種の作業を支障なく行うことができる。（図３）
【０００９】
図示のものでは、親指挿入部２１と人差指挿入部２２の付根部分４に設けた回曲状溶切断線５を、他の中指挿入部２３、薬指挿入部２４、小指挿入部２５との間のものよりも長く、大きくしており、これによって大きな余裕部８が形成され、やや側方に延びるように付いている親指も一層自由に動かせるようになる。
図示の回曲状の溶切断線５は弧状に形成されているが、指の付根部分に、手を握ったり、拡げたり、指でつまんだりすることができる余裕部８を形成するものであるから、上記弧状に限らず適宜の形状に形成することができる。
【００１０】
図４に示すものは、各指挿入部２の付根部分４に設けた回曲状溶切断線５を同じ方向に向けて回曲するように形成したものであり、またその回曲状態をほぼ半円状に形成しており、上記のものと同様にして使用することができる。
また、上記回曲状溶切断線５は、各指挿入部２の付根部分４において所望の異なった方向に向けて形成することも任意にできる。
【００１１】
図５に示すものは、各指挿入部２の先端部分をやや細目に形成しており、また、回曲状溶切断線５の回曲状態をなだらかに回曲するような状態に形成しているもので、指先での摘み作業などが一層容易に行うことができるようになる。
また、図６のものは、図５に示すものとほぼ同様に形成されているものであって、各指挿入部２が並行状態に配置されているが、人差指挿入部２２と薬指挿入部２４の先端側がやや中指挿入部２３側に寄るように形成されているものである。
【００１２】
図７に示すものは、親指挿入部２１と人差指挿入部２２が並行しているが、両指挿入部間に狭い隙間９を設けたものであり、各指挿入部２間の付根部分４から上記の如く回曲状溶切断線５を設けているものである。
【００１３】
図８のものは、図７示すものの各回曲状溶切断線５の終端部に、円形状の溶着部１１を形成したものであり、この円形状の溶着部１１によって手袋に手に嵌めて使用したとき、回曲状溶切断線５の終端から裂けて行く虞を一層のこと防止している。このような溶着部１１は、円形の他適宜の形状とすることができるし、上記及び下記する各種の回曲状溶切断線５の終端部に適宜必要に応じて設けることができる。
【００１４】
図９に示されているものは、図７に示すものの親指挿入部２１と人差指挿入部２２の付根部分４に、ほぼＶ字状を描いて次第に細くなる部分１５を持ち、さらに線状なっている回曲状溶切断線５を設けたものであって、親指の動きが更にスムーズになることがある。
【００１５】
図１０に示すものは、親指挿入部２１、人差指挿入部２２、中指挿入部２３、薬指挿入部２４、小指挿入部２５までの五本の指挿入部２が並行しているが、各指挿入部の間に各々狭い隙間９を設けているものであり、各指挿入部間の付根部分４からは上記と同様に回曲状溶切断線５を設けている。
【００１６】
図１１に示すものでは、五本の指挿入部２を並行状態に隙間無く配置しており、各指挿入部の中間部には凹部１２や凸部１３を設けることによって、各指挿入部２と挿入される指との接触性を高めており、これによって指が手袋から抜けるような傾向を一層防ぐことができる。この凹部１２や凸部１３は、指の関節と関節の間に位置するように設けると良い場合が多く、形状は図示の他にも適宜の形状とすることができる。
【００１７】
図１２のものは、親指を差し入れる親指挿入部２１とその他の４本の指を挿し入れる指挿入部２６とでミット状に形成した手袋で、上記両指挿入部を並行状態に設けている。そして、この親指挿入部２１とその他の４本の指挿入部２６との間の付根部分４から、上記したのと同様に回曲状溶切断線５を形成しているものである。
上記したような各種の構造は、適宜に組み合わせて多様な形態の手袋として用いることができる。
【００１８】
上記した如く、使い捨て手袋の各指挿入部２は並行状態になっているので、図１に示す手袋では例えば図１３に示すように幅Ｘのプラスチックフイルムに配置して製造することができ、図１４に示すように幅Ｙのプラスチックフイルムに配置して製造する従来型の手袋３０に比べて、図１５に示すことからも判るようにプラスチックフイルムやシートの面積において約２０〜３０％も少なくて済み、生産コストを低減して、経済的に製造することができるメリットがある。
【図面の簡単な説明】
【００１９】
【図１】本発明の実施例を示す正面図である。
【図２】図１のＡ−Ａ線拡大一部省略端面図である。
【図３】図１に示すものを使用するときに指を拡げた状態を示す説明図である。
【図４】本発明の他の実施例を示す一部省略正面図である。
【図５】本発明の更に他の実施例を示す正面図である。
【図６】本発明の他の例を示す正面図である。
【図７】本発明の更に他の例を示す正面図である。
【図８】図７に示す実施例の変形例を示す正面図である。
【図９】図７に示す実施例の他の変形例を示す正面図である。
【図１０】本発明の他例を示す正面図である。
【図１１】本発明の更に他例を示す正面図である。
【図１２】本発明の他の例を示す正面図である。
【図１３】図１に示す手袋をプラスチックフイルムから作る場合の配置関係を示す説明図である。
【図１４】従来の手袋をプラスチックフイルムから作る場合の配置関係を示す説明図である。
【図１５】図１３と図１４に示す手袋をプラスチックフイルムから作る場合の配置関係を比較して示す説明図である。
【図１６】研究過程において試作した手袋を示す正面図である。
【符号の説明】
【００２０】
１    プラスチックフイルムまたはシート
２    指挿入部
３    溶切断
４    指挿入部の付根部分
５    回曲状の溶切断線
６    手首くびれ部
７    手掌挿入部
８    余裕部
９    隙間
１０  手袋
１１  溶着部
１２  凹部
１３  凸部
２１  親指挿入部
２２  人差指挿入部
２３  中指挿入部
２４  薬指挿入部
２５  小指挿入部
３０  従来型の手袋
【図１】
0004630152.tif 000002
【図２】
0004630152.tif 000003
【図３】
0004630152.tif 000004
【図４】
0004630152.tif 000005
【図５】
0004630152.tif 000006
【図６】
0004630152.tif 000007
【図７】
0004630152.tif 000008
【図８】
0004630152.tif 000009
【図９】
0004630152.tif 000010
【図１０】
0004630152.tif 000011
【図１１】
0004630152.tif 000012
【図１２】
0004630152.tif 000013
【図１３】
0004630152.tif 000014
【図１４】
0004630152.tif 000015
【図１５】
0004630152.tif 000016
【図１６】
0004630152.tif 000017